(57)【要約】【課題】  固体撮像素子を設けた変位可能な基板の変位位置から初期位置へ戻る時間を利用して、該基板と信号処理部及び制御部を設けた固定基板との間の信号の送受信を、電磁放射ノイズを発生させずに行えるようにした撮像装置を提供する。【解決手段】  固体撮像素子104 を設けた変位可能な第１の基板３と、ＤＳＰ22とＣＰＵ25を有する固定された第２の基板18と、第１の基板が変位した所定位置から初期位置に戻る間に、固体撮像素子の撮像信号と固体撮像素子の制御信号を両基板間で送受信するための、第１及び第２の発光部６，20と第１及び第２の受光部７，19とを備えて撮像装置を構成する。【選択図】        図１
2009272788.tif 000002
【特許請求の範囲】
【請求項１】
光学系によって結像面上に結像された被写体の光学像を光電変換する固体撮像素子が設けられると共に、当該光学系の光軸と直交する方向に当該固体撮像素子を変位させるために当該光軸を横切る方向に変位する第１の基板と、
前記光学系の光軸に対して相対的に位置が固定され、前記固体撮像素子が光電変換した前記光学像の信号を処理する信号処理部及び前記固体撮像素子を制御するための信号を出力する制御部が設けられた第２の基板と、
前記第１の基板が所定量変位して所定の位置に到達した後、当該第１の基板が当該所定の位置から当該第１の基板が当該所定量変位する前の初期位置に戻る間に、前記固体撮像素子によって光電変換された光学像の信号と当該固体撮像素子を制御するための信号の少なくともいずれか一方の信号を前記第１の基板と第２の基板との間で送受信する光信号通信手段と、
を有することを特徴とする撮像装置。
【請求項２】
前記初期位置は、前記固体撮像素子の光電変換を行う受光画素部の中心と、前記光学系の光軸位置が略一致する位置であることを特徴とする請求項１に係る撮像装置。
【請求項３】
前記光信号通信手段は、
前記第１又は第２の基板の一方に設けられ、前記第１の基板から第２の基板又は前記第２の基板から前記第１の基板に対して光信号として出力される並列信号出力チャンネル数に対応する個数の発光素子が並列に配列された発光部と、
前記発光部からの光信号を受信するために前記発光部に対向して前記第１又は第２の基板の他方に設けられ、前記第１と第２の基板の最大の相対的変位範囲と前記発光素子の個数に基づいて決定された個数の受光素子が配列された受光部と、
前記発光部と前記受光部との間での光通信が行われるときの前記第１の基板と前記第２の基板の相対的位置に基づいて、前記発光部からの送信する光信号を受信する前記受光素子を決定する決定部と、
を有することを特徴とする請求項１又は２に係る撮像装置。
【請求項４】
前記光信号通信手段は、
前記第１又は第２の基板の一方に設けられ、前記第１の基板から第２の基板又は前記第２の基板から前記第１の基板に対して光信号として出力される並列信号出力チャンネル数に対応する個数の受光素子が並列に配列された受光部と、
前記受光部に光信号を送信するために前記受光部に対向して前記第１又は第２の基板の他方に設けられ、前記第１と第２の基板の最大の相対的変位範囲と前記受光素子の個数に基づいて決定された個数の発光素子が配列された発光部と、
前記発光部と前記受光部との間での光通信が行われるときの前記第１の基板と前記第２の基板の相対的位置に基づいて、前記受光部へ送信する光信号を送信する前記発光素子を決定する決定部と、
を有することを特徴とする請求項１又は２に係る撮像装置。
【発明の詳細な説明】
【技術分野】
【０００１】
この発明は、光軸を横切る方向に変位する第１の基板と、光軸に対して相対的に位置が固定された第２の基板との間に光信号通信手段を用いた撮像装置に関する。
【背景技術】
【０００２】
従来より、デジタルカメラに代表される撮像装置において、撮影時の手ブレを補正する技術が各種実用化されている。これら手ブレ補正技術のうち、デジタルカメラ本体内部に搭載した固体撮像素子を光軸を横切る平面内で変位可能として手ブレを補正する技術があり、一般に固体撮像素子シフト式手ブレ補正機構と呼ばれている。ここで、図14を用いて、この手ブレ補正機構の動作について簡単に説明する。図14に示すデジタルカメラ100 は、外部筐体101 と、撮像レンズ102 と、レリーズボタン103 と、固体撮像素子104 から構成されている。
【０００３】
図14中のＶ軸は被写体に対する手ブレの垂直方向を、Ｈ軸は被写体に対する手ブレの水平方向をそれぞれ示し、Ｙ軸は撮像レンズ102 の光軸106 に対する固体撮像素子104 の受光画素部中心105 の垂直変位方向を、Ｘ軸は撮像レンズ102 の光軸106 に対する固体撮像素子104 の受光画素部中心105 の水平変位方向をそれぞれ示している。
【０００４】
図14は、撮影時に手ブレが発生した状態を示しており、光軸106 が手ブレする前の光軸110 に対してＶ（＋）方向のみにθ度の手ブレを起こし、固体撮像素子104 の受光画素部中心105 を矢印111 で示すＹ（＋）方向へ変位させ、固体撮像素子104 の受光画素部中心105 を手ブレする前の光軸110 に合わせることでθ度の手ブレ補正を行っている態様を示している。ここで、撮像レンズ102 は、ズームレンズ系とその駆動モータと、フォーカスレンズ系とその駆動モータと、光学絞りとその駆動用モータと等から成り、被写体像を固体撮像素子104 の受光画素部に結像する。
【０００５】
レリーズボタン103 は、途中まで押し込む半押し（以下、Ｓ１オンという）と、完全に押し切る全押し（以下、Ｓ２オンという）操作との２段階で操作可能なボタンであり、主に固体撮像素子104 の露光動作を制御する。固体撮像素子104 の受光画素部は、複数個の受光画素を２次元に配列してなり、撮影レンズ102 を介して結像した被写体像の光信号を電気信号に変換する。
【０００６】
次に、手ブレ補正機構の動作について説明する。レリーズボタン103 のＳ２がオンすると、デジタルカメラ100 内部に固定保持された例えば図示しない圧電素子を用いたＸ及びＹジャイロセンサで、Ｈ軸方向成分及びＶ軸方向成分の手ブレ量をそれぞれの方向成分の角速度として検出する。Ｖ（＋）方向のみにθ度手ブレが発生したことをＸ及びＹジャイロセンサで検出し、図示しない補正量算出回路により手ブレ補正量を算出し、これに基づき、図示しないＸ方向及びＹ方向変位素子により固体撮像素子104 の受光画素中心105 を、矢印111 で示すＹ（＋）方向へ変位させ、手ブレする前の光軸110 に合わせることで、手ブレを補正する。
【０００７】
このような手ブレ補正機構において、光軸を横切る平面内で変位可能なプリント基板に固体撮像素子とその他の部品を搭載し、該プリント基板に一方の端部が接続され、光軸に対して固定保持されたプリント基板に他方の端部が接続された可撓性を有する基板を配置した撮像装置が知られている。一例として、特許文献１には、上記可撓性を有する基板としてフレキシブルプリント基板に切れ込みを設けたものを用い、手ブレ補正機構の動作時に、補正機構に対する負荷抵抗を軽減することができるようにした撮像装置が開示されている。
【特許文献１】特開２００７−４３１２９号公報
【発明の開示】
【発明が解決しようとする課題】
【０００８】
ところで、上記特許文献１に開示された撮像装置においては、光軸を横切る平面内で変位可能なプリント基板と光軸に対して固定保持されたプリント基板と間をフレキシブルプリント基板を用いて接続しているため、フレキシブルプリント基板に起因した信号遅延、電磁放射ノイズの発生が問題となる。特に、電磁放射ノイズに関しては、デジタル信号をフレキシブルプリント基板を介して送受信する際、デジタル信号に含まれる高次の高周波成分が高周波電磁放射ノイズの発信源となり、撮像装置内部の電気部品の誤動作、故障を引き起こすばかりでなく、撮像装置外部の電子機器においても電磁障害をまねき悪影響を与える。
【０００９】
本発明は、従来の撮像装置における上記問題を解決するためになされたもので、光軸を横切る平面内で変位可能な基板（以下、第１の基板という）と光軸に対して固定保持された基板（以下、第２の基板という）との間のデジタル信号の送受信を光信号通信で変位可能な第１の基板の初期位置への復帰時間を利用して行うことができると共に、電磁放射ノイズの発生を防止し、電磁障害を防止できるようにした撮像装置を提供することを目的とするものである。
【課題を解決するための手段】
【００１０】
請求項１に係る発明は、光学系によって結像面上に結像された被写体の光学像を光電変換する固体撮像素子が設けられると共に、当該光学系の光軸と直交する方向に当該固体撮像素子を変位させるために当該光軸を横切る方向に変位する第１の基板と、前記光学系の光軸に対して相対的に位置が固定され、前記固体撮像素子が光電変換した前記光学像の信号を処理する信号処理部及び前記固体撮像素子を制御するための信号を出力する制御部が設けられた第２の基板と、前記第１の基板が所定量変位して所定の位置に到達した後、当該第１の基板が当該所定の位置から当該第１の基板が当該所定量変位する前の初期位置に戻る間に、前記固体撮像素子によって光電変換された光学像の信号と当該固体撮像素子を制御するための信号の少なくともいずれか一方の信号を前記第１の基板と第２の基板との間で送受信する光信号通信手段とを有することを特徴とするものである。
【００１１】
請求項２に係る発明は、請求項１に係る撮像装置において、前記初期位置は、前記固体撮像素子の光電変換を行う受光画素部の中心と、前記光学系の光軸位置が略一致する位置であることを特徴とするものである。
【００１２】
請求項３に係る発明は、請求項１又は２に係る撮像装置において、前記光信号通信手段は、前記第１又は第２の基板の一方に設けられ、前記第１の基板から第２の基板又は前記第２の基板から前記第１の基板に対して光信号として出力される並列信号出力チャンネル数に対応する個数の発光素子が並列に配列された発光部と、前記発光部からの光信号を受信するために前記発光部に対向して前記第１又は第２の基板の他方に設けられ、前記第１と第２の基板の最大の相対的変位範囲と前記発光素子の個数に基づいて決定された個数の受光素子が配列された受光部と、前記発光部と前記受光部との間での光通信が行われるときの前記第１の基板と前記第２の基板の相対的位置に基づいて、前記発光部からの送信する光信号を受信する前記受光素子を決定する決定部とを有することを特徴とするものである。
【００１３】
請求項４に係る発明は、請求項１又は２に係る撮像装置において、前記光信号通信手段は、前記第１又は第２の基板の一方に設けられ、前記第１の基板から第２の基板又は前記第２の基板から前記第１の基板に対して光信号として出力される並列信号出力チャンネル数に対応する個数の受光素子が並列に配列された受光部と、前記受光部に光信号を送信するために前記受光部に対向して前記第１又は第２の基板の他方に設けられ、前記第１と第２の基板の最大の相対的変位範囲と前記受光素子の個数に基づいて決定された個数の発光素子が配列された発光部と、前記発光部と前記受光部との間での光通信が行われるときの前記第１の基板と前記第２の基板の相対的位置に基づいて、前記受光部へ送信する光信号を送信する前記発光素子を決定する決定部とを有することを特徴とするものである。
【発明の効果】
【００１４】
本発明によれば、固体撮像素子を設けた変位可能な第１の基板が所定量変位して所定位置に到達した後、該位置から初期位置に戻る間の時間を利用して、固体撮像素子の信号処理部及び制御部を設けた固定された第２の基板との間で、電磁放射ノイズの発生のない光信号で送受信を行うことが可能な撮像装置を実現することができる。
【発明を実施するための最良の形態】
【００１５】
次に、本発明を実施するための最良の形態について説明する。
【実施例】
【００１６】
（実施例１）
本発明をデジタルカメラに適用した場合の実施例１を図１〜11に示す。本実施例は請求項１，２，３及び４に係る発明の実施例に対応するものである。図１は、実施例１に係るデジタルカメラの主要部の概略構成の一例を示すブロック図である。図２から図７は本実施例に係る第１の発光部６と第２の受光部７の変位の基本動作の一例を示す図である。図８から図11は本実施例に係る具体的な光信号通信の一例を示す図である。
【００１７】
まず、図１について説明する。図１は、本実施例に係るデジタルカメラの主要部の概略構成の一例を示すブロック図であり、図14に示したデジタルカメラ100 内部に配置され、図14と同一の構成要素には同じ符号を付して示している。図１に示すデジタルカメラ100 の内部構成１は、第１の基板３上に、固体撮像素子104 と、ＡＦＥ（アナログフロントエンド）５と、第１の発光部６と、第１の集光部８と、第２の受光部７と、第２のタイミング制御部としての第２のＴＧ（タイミングジェネレータ）９とを備え、光軸106 に対してＹ方向に変位可能なＹ方向変位枠２上に固定保持されている。
【００１８】
また、第２の基板18上に、第１の受光部19と、第１のタイミング制御部として第１のＴＧ（タイミングジェネレータ）23と、第２の発光部20と、第２の集光部21と、Ｙジャイロセンサ15と、Ｘジャイロセンサ16と、変位素子駆動回路14と、信号処理部としてのＤＳＰ（デジタルシグナルプロセッサ）22と、決定部を有するＣＰＵ（中央演算回路）25とを備え、光軸106 に対して固定保持された固定枠17上に固定保持されている。ここで、第１の発光部６と第１の受光部19及び第２の受光部７と第２の発光部20とで各々光信号通信手段を構成している。
【００１９】
更に、Ｙ方向変位枠２はＹ方向変位素子12を介してＸ方向変位枠11に保持され、Ｘ方向変位枠11はＸ方向変位素子13を介して固定枠17に保持されるようにして内部構成１が構成されている。ここで、第１，２の受光部19，７の素子については受光素子と表記し、固体撮像素子104 の素子については受光画素と表記し、以下、説明上区別する。固体撮像素子104 は複数の受光画素を配列した受光画素部を有し、撮影レンズ102 を介して結像した被写体の光学像を受光画素毎にアナログ電気信号に光電変換して出力する。ＡＦＥ５は固体撮像素子104 の受光画素毎のアナログ出力信号をデジタル信号に変換して出力する機能を有する。
【００２０】
第１の発光部６は、ＡＦＥ５のデジタル出力信号を光信号として送信するための固体撮像素子104 の１画素のビット数に対応する個数の発光素子、又はＡＦＥ５の並列信号出力チャネル数に対応する個数の発光素子を並列配列してなり、発光素子としては例えばＬＤ（レーザダイオード）又は赤外ＬＥＤ（発光ダイオード）を用いる。第１の集光部８は、第１の発光部６上に発光素子に対応する個数のレンズを並列配置し、各発光素子の光信号を集光する。第２の受光部７は、後述する第２の発光部20の発光素子に対向して、第２の基板18に対する第１の基板３の最大の相対的変位範囲と並列配置された発光素子の個数に基づいて、発光素子からの光信号を受信する複数の受光素子を配列してなり、受光素子としては例えばGaAs又はInGaAsのＰＤ（フォトダイオード）を用いる。
【００２１】
第２のＴＧ９は、第２の受光部７の出力する複数系統のデジタル制御信号に基づき、固体撮像素子104 とＡＦＥ５との駆動を切換え制御する信号を出力する。第１の受光部19は、第１の発光部６の発光素子に対向して、第２の基板18に対する第１の基板３の最大の相対的変位範囲と並列配置された発光素子の個数に基づいて、発光素子からの光信号を受信する複数の受光素子を配列してなり、受光素子としては例えばGaAs又はInGaAsのＰＤ（フォトダイオード）を用いる。
【００２２】
第１のＴＧ23は、固体撮像素子104 とＡＦＥ５との駆動を切換え制御する複数系統のデジタル制御信号を出力する。第２の発光部20は、第１のＴＧ23の複数系統のデジタル制御信号を光信号として送信するための１系統のデジタル制御信号のビット数に対応する個数の発光素子、又はＴＧ23の複数系統のデジタル制御信号数並列信号出力チャネル数に対応する個数の発光素子を並列配列してなり、発光素子は例えばＬＤ（レーザダイオード）又は赤外ＬＥＤ（発光ダイオード）を用いる。
【００２３】
第２の集光部21は、第２の発光部20上に発光素子に対応する個数のレンズを並列配置し、各発光素子の光信号を集光する。ジャイロセンサ15及びＸジャイロセンサ16は、例えば圧電素子を用いて、撮影時のＶ軸方向成分及びＨ軸方向成分の手ブレ量を、それぞれの方向の角速度として検出する。検出した各方向の角速度に基づき、ＣＰＵ25でＹ方向成分及びＸ方向成分の手ブレ補正量を算出し、変位素子駆動回路14によりＹ方向変位素子12及びＸ方向変位素子13を駆動して、Ｙ方向変位枠２及びＸ方向変位枠11を変位することで手ブレを補正する。また、前述した手ブレ補正機構を用いて、本実施例に係るＹ方向変位枠２及びＸ方向変位枠11を手ブレ補正動作とは関係のない所定量変位動作をさせることで、第１の発光部６の発光素子の送信信号を受信する第１の受光部19の受光素子の位置を決定すると共に、第２の発光部20の発光素子の送信信号を受信する第２の受光部７の受光素子の位置を決定して光信号通信を行う。
【００２４】
ＤＳＰ22は、第１の受光部19の出力する固体撮像素子104 の各受光画素のデジタル信号に対して、γ補正と、ホワイトバランス調整と、色変換と、画像圧縮とを行う処理回路等から成り、各種信号処理を行う。ＣＰＵ25は、デジタルカメラ100 全体の動作を統括して制御すると共に、Ｙジャイロセンサ15及びＸジャイロセンサ16の検出した手ブレ量に基づき、Ｙ方向成分及びＸ方向成分の手ブレ補正量を算出する決定部としての補正量算出回路を有する。
【００２５】
次に、図２から図７を用いて、本実施例に係る第１の発光部６と第２の受光部７の変位の基本動作を説明する。まず図２について説明する。図２は、本実施例に係る第１の基板３の変位動作を説明するための一例を示す分解斜視図であり、前述した図面と同一の部分には同じ符号を付して示している。ここでＺ軸は、デジタルカメラ100 内部における光軸106 の方向を示すものであり、以下同様である。図２において、第１の基板３のＺ（−）側（被写体側）には固体撮像素子104 の受光画素部がＺ（−）方向を向くように配置し、第１の基板３のＺ（＋）側（撮影者側）には、上部に第１の集光部８を備えた第１の発光部６の発光面と第２の受光部７の受光面とが、Ｚ（＋）方向を向くように配置している。
【００２６】
第１の基板３はＹ方向変位枠２に固定され、図示しないＹ方向変位素子により、Ｘ方向変位枠11に対してＹ方向28に変位する。Ｘ方向変位枠11は、中央部に穴部11-1を有し、この穴部11-1にＹ方向変位枠２を配置する。Ｘ方向変位枠11は、図示しないＸ方向変位素子により、固定枠17に対してＸ方向29に変位する。第２の基板18のＺ（−）側（被写体側）には、上部に第２の集光部21を備えた第２の発光部20の発光面と第１の受光部19の受光面とが、Ｚ（−）方向を向くように配置している。第２の基板18は固定枠17に固定されている。固定枠17は、中央部に穴部17-1を有し、この穴部17-1にＸ方向変位枠11を配置する。よって、第２の基板18に対して第１の基板３が光軸106 を横切る方向で変位可能となる。
【００２７】
次に、図3 について説明する。図３は、図２おけるＡ−Ａ′線で切断した断面図である。図３において、８-1と21-1とは、それぞれ第１の集光部８を構成するレンズと第２の集光部21を構成するレンズを示しており、それぞれ第１の発光部６の発光素子と第２の発光部20の発光素子とに対応させ、その上部に12個のレンズを直線状に配置している。すなわち、第１の発光部６を構成する発光素子と第２の発光部20を構成する発光素子は、それぞれ12個を直線状に配列してなっている。ここで、第１の集光部８と第２の集光部21は、各発光部の発光素子に対応する個数のレンズを並列配置した例を示したが、これは光信号通信時に各発光部の発光素子の送信する光信号を、これに対応する各レンズで集光することで、各受光部の所定の受光素子のみで受信させるためである。よって、光信号通信時に発光素子が所定受光素子以外の受光素子に光信号を送信させないような例えば平行光を発光する場合には、集光部は必ずしも必要ではない。
【００２８】
次に、図４について説明する。図４は撮影者側から被写体側をみた場合の第１の発光部６，第１の受光部19，第２の発光部20，第２の受光部７を構成する各素子部と端子のみを示した図である。すなわち、第１の発光部６は、発光素子６(1) ，６(2) ，・・・６(11)，６(12)をＹ（＋）方向に直線状に12個配列して発光素子部を構成し、それぞれ入力端子６-1，６-2，・・・，６-11 ，６-12 を備え、各入力端子６-1，６-2，・・・，６-11 ，６-12 は、後述するＡＦＥ５の出力端子に接続している。
【００２９】
第１の受光部19は、受光素子をＸ方向に11個、Ｙ方向に12個をマトリクス状に配列して受光素子部を構成し、Ｘ方向に配列した受光素子19(i，1)（ｉ＝１，２，・・・，10，11）、19(i，2)（ｉ＝１，２，・・・，10，11）、・・・、19(i，10）（ｉ＝１，２，・・・，10，11）、19(i，12）（ｉ＝１，２，・・・，10，11）毎に共通の出力端子として、それぞれ出力端子19-1,19-2,・・・，19-10 ，19-12 を備え、これら出力端子はＤＳＰ22に接続している。第２の発光部20は、発光素子20(1) ，20(2) ，・・・20(11)，20(12)をＹ（＋）方向に直線状に12個配列して発光素子部を構成し、それぞれ入力端子20-1，20-2，・・・，20-11 ，20-12 を備え、これら入力端子は第１のＴＧ23に接続している。
【００３０】
第２の受光部７は、受光素子をＸ方向に11個、Ｙ方向に12個をマトリクス状に配列して受光素子部を構成し、Ｘ方向に配列した受光素子７(i，1)（ｉ＝１，２，・・・，10，11）、７(i，2)（ｉ＝１，２，・・・，10，11）、・・・、７(i，11）（ｉ＝１，２，・・・，10，11）、７(i，12）（ｉ＝１，２，・・・，10，11））毎に共通の出力端子として、それぞれ出力端子７-1，７-2，・・・，７-11 ，７-12 を備え、これら出力端子は後述する第２のＴＧ９の入力端子に接続している。
【００３１】
ここで、各素子のサイズは全てＸ＝ｐ，Ｙ＝ｐとする。また、発光素子６(1) の中央座標が受光素子19(6，1)の中央座標と同一の場合に、固体撮像素子104 の受光画素部中心105 が撮像レンズ102 の光軸106 の位置（以下、請求項記載の初期位置という）になるもとする。また、初期位置においては、受光素子７(6，1)の中央座標が発光素子20(1) の中央座標と同一となる。
【００３２】
次に、図４，図５を用いて、発光素子６(1) と受光素子７(6，1)との中央座標が、初期位置に対してＹ（＋）方向、Ｘ（−）方向の位置から初期位置に変位するまでの動作について、発光素子６(1) と受光素子７(11 ，1)との中央座標を用いて説明する。まず発光素子６(1) の中央座標の変位について説明する。時刻ｔ０から時刻ｔ１において、発光素子６(1) の中央座標は(X1'，Y2')から(X１，Y2) に変位し、受光素子19(1，1)の中央座標と同一となった時刻ｔ１で発光素子６(1) と受光素子19(1，1)間での光信号通信を開始することができる（以下、第１の光信号通信開始位置という）。
【００３３】
この第１の光信号通信開始位置において時刻ｔ１から時刻ｔ２まで変位を停止し、発光素子６(1) と受光素子19(1，1)，発光素子６(2) と受光素子19(1，2)，・・・、発光素子６(11)と受光素子19(1，11) 、発光素子６(12)と受光素子19(1，12) とがそれぞれ対向し光信号通信を行う。続いて時刻ｔ２から時刻ｔ３において、発光素子６(1) の中央座標は(X１，Y2) から（X1＋ｐ，Y2）に変位し、受光素子19(2,1) の中央座標と同一となった時刻ｔ３から時刻ｔ４まで変位を停止して、発光素子６(1) と受光素子19(2,1) 、発光素子６(2) と受光素子19(2，2)，・・・、発光素子６(11)と受光素子19(2，11) 、発光素子６(12)と受光素子19(2，12) とがそれぞれ対向し光信号通信を行う。
【００３４】
続いて時刻ｔ４から時刻ｔ５において、発光素子６(1) の中央座標は（X1＋ｐ，Y2）から（X1＋２ｐ，Y2）に変位し、受光素子19(3，1)の中央座標と同一となった時刻ｔ５から時刻ｔ６まで変位を停止し、発光素子６(1) と受光素子19(3，1)、発光素子６(2) と受光素子19(3，2)、・・・、発光素子６(11)と受光素子19(3，11) 、発光素子６(12)と受光素子19(3，12) とがそれぞれ対向し光信号通信を行う。続いて時刻ｔ６から時刻ｔ７において、発光素子６(1) の中央座標は（X1＋２ｐ，Y2）から（X1＋３ｐ，Y2）に変位し、受光素子19(4，1)の中央座標と同一となった時刻ｔ７から時刻ｔ８まで変位を停止し、発光素子６(1) と受光素子19(4，1)、発光素子６(2) と受光素子19(4，2)、・・・、発光素子６(11)と受光素子19(4，11) 、発光素子６(12)と受光素子19(4，12) とがそれぞれ対向し光信号通信を行う。
【００３５】
続いて時刻ｔ８から時刻ｔ９において、発光素子６(1) の中央座標は（X1＋３ｐ，Y2）から（X1＋４ｐ，Y2）に変位し、受光素子19(5，1)の中央座標と同一となった時刻ｔ９から時刻ｔ10まで変位を停止し、発光素子６(1) と受光素子19(5，1)、発光素子６(2) と受光素子19(5，2)、・・・、発光素子６(11)と受光素子19(5，11) 、発光素子６(12)と受光素子19(5，12) とがそれぞれ対向し光信号通信を行う。続いて時刻ｔ10から時刻ｔ11において、発光素子６(1) の中央座標は（X1＋４ｐ，Y2）から（X1＋５ｐ，Y2）に変位し、受光素子19(6，1)の中央座標と同一となった時刻ｔ11において初期位置に到達する。時刻ｔ11から時刻ｔ12まで変位を停止し、発光素子６(1) と受光素子19(6，1)、発光素子６(2) と受光素子19(6，2)、・・・、発光素子６(11)と受光素子19(6，11) 、発光素子６(12)と受光素子19(6，12) とがそれぞれ対向し光信号通信を行う。
【００３６】
次に、受光素子７（11，1)の中央座標の変位について説明する。時刻ｔ０から時刻ｔ１において、受光素子７（11，1)の中央座標は(X2'，Y1')から（X2＝X1＋５ｐ，Y1）に変位し、受光素子７（11，1)の中央座標が受光素子20(1) の中央座標と同一となった時刻ｔ１において第１の光信号通信開始位置に到達する。時刻ｔ１から時刻ｔ２まで変位停止し、受光素子７（11，1)と発光素子20(1) 、受光素子７（11，2)と発光素子20(2) 、・・・、受光素子７（11，11）と発光素子20(11)、受光素子７（11，12）と発光素子20(12)とがそれぞれ対向し光信号通信を行う。続いて時刻ｔ２から時刻ｔ３において、受光素子７（11，1)の中央座標は（X2，Y1）から（X2＋ｐ，Y1）に変位し、受光素子７（10，1)が発光素子20(1) の中央座標と同一となった時刻ｔ３から時刻ｔ４まで変位を停止し、受光素子７（10，1)と発光素子20(1) 、受光素子７（10，2)と発光素子20(2) 、・・・、受光素子７（10，11）と発光素子20(11)、受光素子７（10，12）と発光素子20(12)とがそれぞれ対向し光信号通信を行う。
【００３７】
続いて時刻ｔ４から時刻ｔ５において、受光素子７（11，1)の中央座標は（X2＋ｐ，Y1）から（X2＋２ｐ，Y1）に変位し、受光素子７(9，1)が発光素子20(1) の中央座標と同一となった時刻ｔ５から時刻ｔ６まで変位を停止し、受光素子７(9，1)と発光素子20(1) 、受光素子７(9，2)と発光素子20(2) 、・・・、受光素子７(9，11）と発光素子20(11)、受光素子７(9，12）と発光素子20(12)とがそれぞれ対向し光信号通信を行う。続いて時刻ｔ６から時刻ｔ７において、受光素子７（11，1)の中央座標は（X2＋２ｐ，Y1）から（X2＋３ｐ，Y1）に変位し、受光素子７(8，1)が発光素子20(1) の中央座標と同一となった時刻ｔ７から時刻ｔ８まで変位を停止し、受光素子７(8，1)と発光素子20(1) 、受光素子７(8，2)と発光素子20(2) 、・・・、受光素子７(8，11）と発光素子20(11)、受光素子７(8，12）と発光素子20(12)とがそれぞれ対向し光信号通信を行う。
【００３８】
続いて時刻ｔ８から時刻ｔ９おいて、受光素子７（11，1)の中央座標は（X2＋３ｐ，Y1）から（X2＋４ｐ，Y1）に変位し、受光素子７(7，1)が発光素子20(1) の中央座標と同一となった時刻ｔ９から時刻ｔ10まで変位を停止し、受光素子７(7，1)と発光素子20(1) 、受光素子７(7，2)と発光素子20(2) 、・・・、受光素子７(7，11）と発光素子20(11)、受光素子７(7，12）と発光素子20(12)とがそれぞれ対向し光信号通信を行う。続いて時刻ｔ10から時刻ｔ11おいて、受光素子７（11，1)の中央座標は（X2＋４ｐ，Y1）から（X3＝X2＋５ｐ，Y1）に変位し、受光素子７(6，1)が発光素子20(1) の中央座標と同一となった時刻ｔ11において初期位置に到達する。時刻ｔ11から時刻ｔ12まで変位を停止し、受光素子７(6，1)と発光素子20(1) 、受光素子７(6，2)と発光素子20(2) 、・・・、受光素子７(6，11）と発光素子20(11)、受光素子７(6，12）と発光素子20(12)とがそれぞれ対向し光信号通信を行う。したがって、第１の発光部６と第１の受光部19間の光信号通信と、第２の受光部７と第２の発光部20間の光信号通信とを同一の期間で行っている。
【００３９】
次に、図６，図７を用いて、発光素子６(1) と受光素子７(6，1)との中央座標が初期位置に対してＹ（−）方向、Ｘ（＋）方向の位置から初期位置に変位するまでの基本動作について、発光素子６(1) と受光素子７(1，1)との中央座標を用いて説明する。図６は、図４に示した構成とは初期位置に対する、発光素子６(i）（ｉ＝１，２，・・・，11）と、受光素子７(i，j)（ｉ＝１，２，・・・，11、ｊ＝１，２、・・・，12）との中央座標が異なるのみである。すなわち、発光素子６(1) と受光素子７(1，1)とで代表して示すと、発光素子６(1) の中央座標は（X4' ，Y4' ）であり、受光画素７(1，1)の中央座標は（X3` ，Y3' ）である。
【００４０】
まず発光素子６(1) の中央座標の変位について説明する。時刻ｔ０から時刻ｔ１において、発光素子６(1) の中央座標は（X4' ，Y4' ）から（X3，Y2）に変位し、受光素子19（11，1)の中央座標と同一となった時刻ｔ１で、発光素子６(1) と受光素子19（11，1)間での光信号通信を開始することができる（以下、第２の光信号通信開始位置という）。この第２の光信号通信開始位置において、時刻ｔ１から時刻ｔ２まで変位を停止し、発光素子６(1) と受光素子19（11，1)、発光素子６(2) と受光素子19（11，2)、・・・、発光素子６(11)と受光素子19（11，11）、発光素子６(12)と受光素子19（11，12）とがそれぞれ対向し光信号通信を行う。続いて時刻ｔ２から時刻ｔ３において、発光素子６(1) の中央座標は（X3，Y2）から（X3−ｐ，Y2）に変位し、受光素子19（10，1)の中央座標と同一となった時刻ｔ３から時刻ｔ４まで変位を停止し、発光素子６(1) と受光素子19（10，1)、発光素子６(2) と受光素子19（10，2)、・・・、発光素子６(11)と受光素子19（10，11）、発光素子６(12)と受光素子19（10，12）とがそれぞれ対向し光信号通信を行う。
【００４１】
続いて時刻ｔ４から時刻ｔ５において、発光素子６(1) の中央座標は（X3−ｐ，Y2）から（X3−２ｐ，Y2）に変位し、受光素子19(9，1)の中央座標と同一となった時刻ｔ５から時刻ｔ６まで変位を停止し、発光素子６(1) と受光素子19(9，1)、発光素子６(2) と受光素子19(9，2)、・・・、発光素子６(11)と受光素子19(9，11）、発光素子６(12)と受光素子19(9，12）とがそれぞれ対向し光信号通信を行う。続いて時刻ｔ６から時刻ｔ７において、発光素子６(1) の中央座標は（X3−２ｐ，Y2）から（X3−３ｐ，Y2）に変位し、受光素子19(8，1)の中央座標と同一となった時刻ｔ７から時刻ｔ８まで変位を停止し、発光素子６(1) と受光素子19(8，1)、発光素子６(2) と受光素子19(8，2)、・・・、発光素子６(11)と受光素子19(8，11）、発光素子６(12)と受光素子19(8，12）とがそれぞれ対向し光信号通信を行う。
【００４２】
続いて時刻ｔ８から時刻ｔ９において、発光素子６(1) の中央座標は（X3−３ｐ，Y2）から（X3−４ｐ，Y2）に変位し、受光素子19(7，1)の中央座標と同一となった時刻ｔ９から時刻ｔ10まで変位を停止し、発光素子６(1) と受光素子19(7，1)、発光素子６(2) と受光素子19(7，2)、・・・、発光素子６(11)と受光素子19(7，11）、発光素子６(12)と受光素子19(7，12）とがそれぞれ対向し光信号通信を行う。続いて時刻ｔ10から時刻ｔ11において、発光素子６(1) の中央座標は（X3−４ｐ，Y2）から（X2＝X3−５ｐ，Y2）に変位し、受光素子19(6，1)の中央座標と同一となった時刻ｔ11において初期位置に到達する。時刻ｔ11から時刻ｔ12まで変位を停止し、発光素子６(1) と受光素子19(6，1)、発光素子６(2) と受光素子19(6，2)、・・・、発光素子６(11)と受光素子19(6，11）、発光素子６(12)と受光素子19(6，12）とがそれぞれ対向し光信号通信を行う。
【００４３】
次に、受光素子７(1，1)の中央座標の変位について説明する。時刻ｔ０から時刻ｔ１において、受光素子７(1，1)の中央座標は（X3’，Y3' ）から（X2＝X3−５ｐ，Y1）に変位し、受光素子７(1，1)の中央座標が発光素子20(1) の中央座標と同一となった時刻ｔ１において第２の光信号通信開始位置に到達する。時刻ｔ１から時刻ｔ２まで変位を停止し、受光素子７(1，1)と発光素子20(1) 、受光素子７(1，2)と発光素子20(2) 、・・・、受光素子７(1，11）と発光素子20(11)、受光素子７(1，12）と発光素子20(12)とがそれぞれ対向し光信号通信を行う。続いて時刻ｔ２から時刻ｔ３において、受光素子７(1，1)の中央座標は（X2，Y1）から（X2−ｐ，Y1）に変位し、受光素子７(2，1)が発光素子20(1) の中央座標と同一となった時刻ｔ３から時刻ｔ４まで変位を停止し、受光素子７(2，1)と発光素子20(1) 、受光素子７(2，2)と発光素子20(2) 、・・・、受光素子７(2，11）と発光素子20(11)、受光素子７(2，12）と発光素子20(12)とがそれぞれ対向し光信号通信を行う。
【００４４】
続いて時刻ｔ４から時刻ｔ５において、受光素子７(1，1)の中央座標は（X2−ｐ，Y1）から（X2−２ｐ，Y1）に変位し、受光素子７(3，1)が発光素子20(1) の中央座標と同一となった時刻ｔ５から時刻ｔ６まで変位を停止し、受光素子７(3，1)と発光素子20(1) 、受光素子７(3，2)と発光素子20(2) 、・・・、受光素子７(3，11）と発光素子20(11)、受光素子７(3，12）と発光素子20(12)とがそれぞれ対向し光信号通信を行う。続いて時刻ｔ６から時刻ｔ７において、受光素子７(1，1)の中央座標は（X2−２ｐ，Y1）から（X2−３ｐ，Y1）に変位し、受光素子７(4，1)が発光素子20(1) の中央座標と同一となった時刻ｔ７から時刻ｔ８まで変位を停止し、受光素子７(4，1)と発光素子20(1) 、受光素子７(4，2)と発光素子20(2) 、・・・、受光素子７(4，11）と発光素子20(11)、受光素子７(4，12）と発光素子20(12)とがそれぞれ対向し光信号通信を行う。
【００４５】
続いて時刻ｔ８から時刻ｔ９おいて、受光素子７(1，1)の中央座標は（X2−３ｐ，Y1）から（X2−４ｐ，Y1）に変位し、受光素子７(5，1)が発光素子20(1) の中央座標と同一となった時刻ｔ９から時刻ｔ10まで変位を停止し、受光素子７(5，1)と発光素子20(1) 、受光素子７(5，2)と発光素子20(2) 、・・・、受光素子７(5，11）と発光素子20(11)、受光素子７(5，12）と発光素子20(12)とがそれぞれ対向し光信号通信を行う。続いて時刻ｔ10から時刻ｔ11おいて、受光素子７(1，1)の中央座標は（X2−４ｐ，Y1）から（X1＝X2−５ｐ，Y1）に変位し、受光素子７(6，1)が発光素子20(1) の中央座標と同一となった時刻ｔ11において初期位置に到達する。時刻ｔ11から時刻ｔ12まで変位を停止し、受光素子７(6，1)と発光素子20(1) 、受光素子７(6，2)と発光素子20(2) 、・・・、受光素子７(6，11）と発光素子20(11)、受光素子７(6，12）と発光素子20(12)とがそれぞれ対向し光信号通信を行う。したがって、第１の発光部６と第１の受光部19間の光信号通信と、第２の受光部７と第２の発光部20間の光信号通信とを同一の期間で行っている。
【００４６】
以上説明したように、初期位置に対して第１の発光部６の発光素子６(1) と第２の受光部７の受光素子７(6，1)との中央座標がＸ（−）側に配置している場合には、第１の光信号通信開始位置から初期位置まで第１の基板３を変位することで、発光素子６(i) （ｉ＝１，２，・・・，12）と受光素子19(i，j)（ｉ＝１，２，・・・，６、ｊ＝１，２，・・・，12）間と、受光素子７(i，j)（ｉ＝11，10，・・・，６、ｊ＝１，２，・・・，12）と発光素子20(i) （ｉ＝１，２，・・・，12）間とでそれぞれ光信号通信をおこなう。よって、図４に灰色で示す第１の受光部19の受光素子19(i，j)（ｉ＝７，８，・・・，11、ｊ＝１，２，・・・，12）と第２の受光部７の受光素子７(i，j)（ｉ＝１，２，・・・，５、ｊ＝１，２，・・・，12）は使用していない。
【００４７】
また、初期位置に対して第１の発光部６の発光素子６(1) と第２の受光部７の受光素子７(6，1)との中央座標がＸ（＋）側に配置している場合には、第２の光信号通信開始位置から初期位置まで第１の基板３を変位することで、発光素子６(i) （ｉ＝１，２，・・・，12）と受光素子19(i，j)（ｉ＝11，10，・・・，６、ｊ＝１，２，・・・，12）間と、受光素子７(i，j)（ｉ＝１，２，・・・，６、ｊ＝１，２，・・・，12）と発光素子６(i) （ｉ＝１，２，・・・，12）間とでそれぞれ光信号通信をおこなう。よって、図６で灰色で示す第１の受光部19の受光素子19(i，j)（ｉ＝１，２，・・・，５、ｊ＝１，２，・・・，12）と第２の受光部７の受光素子７(i，j)（ｉ＝７，８，・・・，11、ｊ＝１，２，・・・，12）は使用していない。図４及び図６の斜線部で示す第１の受光部19の受光素子19(6，j)（ｊ＝１，２，・・・，12）と第２の受光部７の受光素子７(6，j)（ｊ＝１，２，・・・，12）は、第１の光信号通信開始位置から初期位置まで光信号通信する場合においても、また第２の光信号通信開始位置から初期位置まで光信号通信する場合においても使用される。
【００４８】
ここでは、第１の発光部６の発光素子６(i) （ｉ＝１，２，・・・，12）と第２の発光部20の発光素子20(i) （ｉ＝１，２，・・・，12）を、Ｙ方向に直線状に配置してそれぞれ発光部を構成し、これに対応して第１の受光部19の受光素子19(i，ｊ）（ｉ＝１，１，・・・，11、ｊ＝１，２，・・・，12）と第２の受光部７の受光素子７(i，ｊ）（ｉ＝１，１，・・・，11、ｊ＝１，２、・・・、12）を配置して、Ｘ方向に変位させることで光信号通信を実現したが、第１の発光部６の発光素子６(i) （ｉ＝１，２，・・・，12）と第２の発光部20の発光素子20(i) （ｉ＝１，２，・・・，12）を、Ｘ方向に直線状に配置して、これに対応して第１の受光部19の受光素子19(i，ｊ）（ｉ＝１，１，・・・，12、ｊ＝１，２，・・・、11）と第２の受光部７の受光素子７(i，ｊ）（ｉ＝１，１，・・・，12、ｊ＝１，２，・・・，11）を配置して、Ｙ方向に変位させることで光信号通信を実現することもできる。
【００４９】
また、第１の発光部６と第１の受光部19と、第２の発光部20と第２の受光部７との２組の発光部と受光部とで構成した場合を示したが、発光部と受光部とを追加搭載して３組以上を設けることも可能である。また、発光部を構成する発光素子を２次元のマトリクス状に配列し、これに対応する受光部を構成する受光素子を１次元の直線状に配置してもよい。つまり、発光素子及び受光素子の配列構成及び第１の基板の変位方向は、上記のものに限定されるものではなく、その目的を逸脱しない範囲で各種変形、変更が可能である。更に、各素子のサイズは限定されるものではなく、第２の基板18に対する第１の基板３の最大の相対的な変位可能範囲内において、光信号通信ができればよい。
【００５０】
次に、図８から図11を用いて本実施例における具体的な光信号通信の一例について説明する。まず図８について説明する。図８は、固体撮像素子104 と、第２のＴＧ９と、ＡＦＥ５との構成を示すブロック図である。第２のＴＧ９は第２の受光部７の出力する複数系統のデジタル制御信号を入力する入力端子９-1，９-2，・・・，９-11 ，９-12 を備え、複数系統のデジタル制御信号に基づき固体撮像素子104 とＡＦＥ５との駆動を切換え制御する信号を出力する。入力端子９-1，９-2，・・・，９-11 ，９-12 は、第２の受光部７の出力端子７-1，７-2，・・・，７-11 ，７-12 とそれぞれ接続している。
【００５１】
固体撮像素子104 は、Ｘ方向に4000個とＹ方向に3000個との受光画素をマトリクス状に配列した1200万画素からなる受光画素部４と、受光画素部４の各受光画素に対して画素に蓄積した不要な電荷をリセットするリセット動作と各受光画素に被写体の光信号を電気信号に変換して蓄積する電荷蓄積動作と蓄積電荷を電圧に増幅変換して読出す読出し動作をそれぞれ選択的に行う垂直走査回路120 と、受光画素部４の各受光画素の出力信号に混入しているノイズ成分を除去するためのＣＤＳ（相関２重サンプリング）回路122 とＣＤＳ処理した受光画素部４の各受光画素のアナログ信号を選択的に固体撮像素子外部に出力するＳＲ（シフトレジスタ) 回路123 とからなる水平走査回路121 とで構成されている。
【００５２】
固体撮像素子104 は、ＣＣＤ又はＣＭＯＳイメージセンサ等の被写体の光学像の光信号を電気信号に光電変換する機能を有すればよい。ＡＦＥ５は、受光画素部４の各画素のアナログ出力信号を増幅するためのＰＧＡ（プログラムゲインアンプ）回路124 と、増幅されたアナログ信号をデジタル信号に変換するＡＤＣ（アナログデジタルコンバータ）回路125 と、デジタル信号の出力形式を設定して並列信号出力チャネルとしての出力端子５-1，５-2，・・・，５-11 ，５-12 から信号出力するＩ／Ｆ（インターフェース）回路126 とから構成されている。出力端子５-1，５-2，・・・，５-11 ，５-12 は第１の発光部６の入力端子６-1，６-2，・・・，６-11 ，６-12 とそれぞれ接続している。ここで、第２のＴＧ９とＡＦＥ５とを固体撮像素子104 と同一チップ上に形成してもよく、特にＣＭＯＳイメージセンサの場合には製造上形成し易い。
【００５３】
次に、図９について説明する。図９は、図５に示した時刻ｔ１から時刻ｔ12までの期間における第１の発光部６の送信する光信号と、光信号を受信する第１の受光部19の受光素子の対応関係を示したタイミングチャートである。ここで、図９中の例えば、受光画素４(1，1)〜４（4000，500)のデジタル信号とは、固体撮像素子104 の受光画素４(1，1)〜４（4000，500)のアナログ出力信号をＡＦＥ５でデジタル信号に変換した信号を表している。
【００５４】
次に、具体的な動作について説明する。まず、時刻ｔ１から時刻ｔ２までの第１の基板３の変位が停止している期間に、受光画素４(1，1)〜４（4000，500)のデジタル信号を、第１の受光部19の受光素子19(1，1)〜19(1，12）との間で光信号通信する。続いて、時刻ｔ２から時刻ｔ３の期間に第１の基板３を変位させ、この期間は光信号通信を行わない。続いて、時刻ｔ３から時刻ｔ４までの第１の基板３の変位が停止している期間に、受光画素４(1，501)〜４（4000，1000）のデジタル信号を、受光素子19(2，1)〜19(2，12）との間で光信号通信する。
【００５５】
続いて、時刻ｔ４から時刻ｔ５の期間に第１の基板３を変位させ、この期間は光信号通信を行わない。続いて、時刻ｔ５から時刻ｔ６までの第１の基板３の変位が停止している期間に、受光画素４(1，1001）〜４（4000，1500）のデジタル信号を受光素子19(3，1)〜19(3，12）との間で光信号通信する。続いて、時刻ｔ６から時刻ｔ７の期間に第１の基板３を変位させ、この期間は光信号通信を行わない。続いて時刻ｔ７から時刻ｔ８までの第１の基板３の変位が停止している期間に、受光画素４(1，1501）〜４（4000，2000）のデジタル信号を受光素子19(4，1)〜19(4，12）との間で光信号通信する。
【００５６】
続いて、時刻ｔ８から時刻ｔ９の期間に第１の基板３を変位させ、この期間は光信号通信を行わない。続いて、時刻ｔ９から時刻ｔ10までの第１の基板３の変位が停止している期間に、受光画素４(1，2001）〜４（4000，2500）のデジタル信号を受光素子19(5，1)〜19(5，12）との間で光信号通信する。続いて、時刻ｔ10から時刻ｔ11の期間に第１の基板３を変位させ、この期間は光信号通信を行わない。続いて、時刻ｔ11から時刻ｔ12までの第１の基板３の変位が停止している期間に、受光画素４(1，2501）〜４（4000，3000）のデジタル信号を受光素子19(6，1)〜19(6，12）との間で光信号通信する。なお、ここで示した受光画素部４の構成は一例であり、これに限定されるものではない。
【００５７】
次に、図10について説明する。図10は、図９に示したタイミングチャートの時刻ｔ１から時刻ｔ２までの、第１の発光部６の送信する光信号の詳細を示すタイミングチャートである。ここで、ＡＤＣ回路125 において受光画素４(1，1)〜４（4000，500)のアナログ出力信号を１画素あたり12ビットのデジタル信号に変換しているものとする。この１画素あたり12ビットのデジタル信号は、第１の発光部６を構成する発光素子の個数12個に対応し、且つ、Ｉ／Ｆ回路126 の出力端子数12個とに対応するものである。図10の（Ａ）と図10の（Ｂ）は、デジタル信号の出力形式が異なっている。
【００５８】
図10の（Ａ）は、受光画素部４の１画素分の12ビットのデジタル信号を１画素毎に順次並列に発光素子６(i) （ｉ＝１，２，・・・，12）から光信号として送信している場合を示している。すなわち、時刻ｔ１から時刻ｔ１-1の期間において、４(1，1)のデジタル信号である４(1，1)−〔０〕，４(1，1)−〔１〕，・・・，４(1，1)−〔10〕，４(1，1)−〔11〕を、それぞれＩ／Ｆ回路126 の出力端子５-1，５-2，・・・，５-11 ，５-12 から出力する。ここで、〔０〕は最下位ビットを、〔11〕は最上位ビットを表している。出力端子５-1，５-2，・・・，５-11 ，５-12 は、第１の発光部６の入力端子６-1，６-2，・・・，６-11 ，６-12 とそれぞれ接続しているので、４(1，1)−〔０〕，４(1，1)−〔１〕，・・・，４(1，1)−〔10〕，４(1，1)−〔11〕は、それぞれ、発光素子６(1) ，６(2) ，・・・，６(11)，６(12)から光信号として送信することになる。以下同様にして、４（4000，500)−〔０〕，４（4000，500)−〔１〕，・・・、４（4000，500)−〔10〕，４（4000，500)−〔11〕までを、発光素子６(1) ，６(2) ，・・・，６(11)，６(12)から光信号として送信する。
【００５９】
次に、図10の（Ｂ）について説明する。図10の（Ｂ）は、受光画素部４の12画素分の12ビットのデジタル信号を、同位ビット毎に順次並列に発光素子６(i) （ｉ＝１，２，・・・，12）から光信号として送信している場合を示している。すなわち、時刻ｔ１から時刻ｔ１-1の期間において、４(1，1)−〔０〕，４(2，1)−〔０〕，・・・，４（11，1)−〔０〕，４（12，1)−〔０〕を、それぞれＩ／Ｆ回路126 の出力端子５-1，５-2，・・・，５-11 ，５-12 から出力する。出力端子５-1，５-2，・・・，５-11 ，５-12 は、第１の発光部６の入力端子６-1，６-2，・・・，６-11 ，６-12 とそれぞれ接続しているので、４(1，1)−〔０〕，４(2，1)−〔０〕，・・・，４（10，1)−〔０〕，４（12，1)−〔０〕は、それぞれ、発光素子６(1) ，６(2) ，・・・，６(11)，６(12)から光信号として送信することになる。以下同様にして、４（3989，500)−〔11〕，４（3990，500)−〔11〕，・・・，４（3999，500)−〔11〕，４（4000，500)−〔11〕までを、発光素子６(1) ，６(2) ，・・・，６(11)，６(12)から光信号として送信する。
【００６０】
図10の（Ａ），（Ｂ）においては、固体撮像素子104 の 200万個分の受光画素４(1，1)〜４（4000，500)のデジタル信号についてのみ示したが、同様にして全画素1200万個の信号を送信できる。また、図10の（Ａ）と図10の（Ｂ）に示したデジタル信号の出力形式の設定は、第２のＴＧ９の出力するデジタル制御信号をＩ／Ｆ回路126 に入力することで行うことができる。なお、ここで示した受光画素部４の１画素あたりのビット数とＩ／Ｆ回路126 の出力端子数とは一例であり、これに限定されるものではない。
【００６１】
次に、図11について説明する。図11は、図５に示した時刻ｔ１から時刻ｔ12までの期間における第２の発光部20の送信する光信号と、光信号を受信する第２の受光部７の受光素子の対応関係を示したタイミングチャートである。図11の（Ａ）と図11の（Ｂ）とは、デジタル信号の出力形式が異なっている。図11の（Ａ）においては、第１のＴＧ23の出力する固体撮像素子104 とＡＦＥ５との駆動を切り換え制御する複数系統のデジタル制御信号が６系統の場合であり、１系統あたり12ビットから構成している。この１系統あたり12ビットのデジタル制御信号は、第２の発光部20を構成する発光素子の個数12個に対応するものである。図11の（Ａ）は、デジタル制御信号の１系統毎に順次並列に発光素子20(i）（ｉ＝１，２，・・・，12）から光信号として送信する場合を示している。
【００６２】
ここで、HBS[0]，HBS[1]・・・，HBS[10] ，HBS[11] は、ＳＲ回路123 の走査開始位置を設定するデジタル制御信号であり、受光画素部４のうちＸ方向の信号読み出しを開始する画素位置を設定する。HBE[0]，HBE[1]，・・・，HBE[10] 、HBE[11] は、ＳＲ回路123 の走査終了位置を設定するデジタル制御信号であり、受光画素部４のうちＸ方向の信号読み出しを終了する受光画素位置を設定する。VBS[0]，VBS[1]，・・・，VBS[10] ，VBS[11] は、垂直走査回路120 の走査開始位置を設定するデジタル制御信号であり、受光画素部４のうちＹ方向の信号読み出しを開始する受光画素位置を設定する。VBE[0]，VBE[1]，・・・，VBE[10] ，VBE[11] は、垂直走査回路120 の走査終了位置を設定するデジタル制御信号であり、受光画素部４のうちＹ方向の信号読み出しを終了する受光画素位置を設定する。
【００６３】
PGA[0]，PGA[1]，・・・，PGA[10] ，PGA[11] は、ＰＧＡ回路124 のゲイン設定をするデジタル制御信号である。SOF[0]，SOF[1]，・・・，SOF[10] ，SOF[11] は、Ｉ／Ｆ回路126 のデジタル信号出力形式を設定するデジタル制御信号である。各デジタル制御信号における各ビット[0] ，[1] ，・・・，[10]，[11]は、発光素子20(1) ，・・・，20(12)から光信号として送信される。第２の受光部７の出力端子７-1，７-2，・・・，７-12 は、第２のＴＧ９の入力端子９-1，９-2，・・・，９-11 ，９-12 とそれぞれ接続しているので、各デジタル制御信号における各ビット[0] ，[1] ，・・・[10]，[11]は第２のＴＧ９に入力される。
【００６４】
次に、具体的な動作について説明する。まず、時刻ｔ１から時刻ｔ２までの第１の基板３の変位が停止している期間に、HBS[0]，HBS[1]，・・・，HBS[10] ，HBS[11] を受光素子７（11，1)〜７（11，12）との間で光信号通信する。続いて、時刻ｔ２から時刻ｔ３の期間に第１の基板３を変位させ、この期間は光信号通信を行わない。続いて、時刻ｔ３から時刻ｔ４までの第１の基板３の変位が停止している期間に、HBE[0]，HBE[1]，・・・，HBE[10] ，HBE[11] を受光素子７（10，1)〜７（10，12）との間で光信号通信する。続いて、時刻ｔ４から時刻ｔ５の期間に第１の基板３を変位させ、この期間は光信号通信を行わない。続いて、時刻ｔ５から時刻ｔ６までの第１の基板３の変位が停止している期間に、VBS[0]，VBS[1]，・・・，VBS[10] ，VBS[11] を受光素子７(9，1)〜７(9，12）との間で光信号通信する。
【００６５】
続いて、時刻ｔ６から時刻ｔ７の期間に第１の基板３を変位させ、この期間は光信号通信を行わない。続いて、時刻ｔ７から時刻ｔ８までの第１の基板３の変位が停止している期間に、VBE[0]，VBE[1]，・・・，VBE[10] ，VBE[11] を受光素子７(8，１）〜７(8，12）との間で光信号通信する。続いて、時刻ｔ８から時刻ｔ９の期間に第１の基板３を変位させ、この期間は光信号通信を行わない。続いて、時刻ｔ９から時刻ｔ10までの第１の基板３の変位が停止している期間に、PGA[0]，PGA[1]，・・・，PGA[10] ，PGA[11] を受光素子７(7，１）〜７(7，12）との間で光信号通信する。続いて、時刻ｔ10から時刻ｔ11の期間に第１の基板３を変位させ、この期間は光信号通信を行わない。続いて、時刻ｔ11から時刻ｔ12までの第１の基板３の変位が停止している期間に、SOF[0]，SOF[1]，・・・，SOF[10] ，SOF[11] を受光素子７(6，１）〜７(6，12）との間で光信号通信する。
【００６６】
次に、図11の（Ｂ）について説明する。図11の（Ｂ）においては、第１のＴＧ23の出力する固体撮像素子104 とＡＦＥ５との駆動を切り換え制御する複数系統のデジタル制御信号が12系統の場合であり、1 系統あたり６ビットから構成している。この12系統のデジタル制御信号は、第２の発光部20を構成する発光素子の個数12個に対応するものである。図11の（Ｂ）は、12系統分のデジタル制御信号の６ビットのデジタル信号を同位ビット毎に順次並列に発光素子20(i) （ｉ＝１，２，・・・，12）から光信号として送信している場合を示している。
【００６７】
ここで、HBS[0]，HBS[1]，・・・，HBS[4]，HBS[5]は、ＳＲ回路123 の走査開始位置を設定するデジタル制御信号であり、受光画素部４のうちＸ方向の信号読み出しを開始する受光画素位置を設定する。HBE[0]、HBE[1]，・・・，HBE[4]，HBE[5]は、ＳＲ回路123 の走査終了位置を設定するデジタル制御信号であり、受光画素部４のうちＸ方向の信号読み出しを終了する受光画素位置を設定する。VBS[0]，VBS[1]，・・・，VBS[4]，VBS[5]は、垂直走査回路120 の走査開始位置を設定するデジタル制御信号であり、受光画素部４のうちＹ方向の信号読み出しを開始する受光画素位置を設定する。VBE[0]，VBE[1]，・・・，VBE[4]，VBE[5]は、垂直走査回路120 の走査終了位置を設定するデジタル制御信号であり、受光画素部４のうちＹ方向の信号読み出しを終了する受光画素位置を設定する。
【００６８】
PGA[0]，PGA[1]，・・・，PGA[4]，PGA[5]は、ＰＧＡ回路124 のゲイン設定をするデジタル制御信号である。SOF[0]，SOF[1]，・・・，SOF[4]，SOF[5]は、Ｉ／Ｆ回路126 のデジタル信号出力形式を設定するデジタル制御信号である。HAL[0]，HAL[1]，・・・，HAL[4]，HAL[5]は、Ｘ方向の受光画素のアナログ信号出力を合成する受光画素数を設定するデジタル制御信号である。VAL[0]，VAL[1]，・・・，VAL[4]，VAL[5]は、Ｙ方向の受光画素のアナログ信号出力を合成する受光画素数を設定するデジタル制御信号である。HSK[0]，HSK[1]，・・・，HSK[4]，HSK[5]は、受光画素部４のうちＸ方向の間引き信号読み出しを行う間引き間隔を設定するデジタル信号である。VSK[0]、VSK[1]，・・・，VSK[4]，VSK[5]は、受光画素部４のうちＹ方向の間引き信号読み出しを行う間引き間隔を設定するデジタル信号である。SHT[0]，SHT[1]，・・・，SHT[4]，SHT[5]は、受光画素部４の電荷蓄積動作の期間を設定するデジタル信号である。MCK[0]，MCK[1]，・・・，MCK[4]，MCK[5]は、第２のＴＧ９を駆動するメインクロックを設定するデジタル信号である。各デジタル制御信号における同位ビットは第２の発光部20の発光素子20(1) ，・・・，20(12)から光信号として送信される。第２の受光部７の出力端子７-1，７-2，・・・，７-12 は第２のＴＧ９の入力端子９-1，９-2，・・・，９-11 ，７-12 とそれぞれ接続しているので、各デジタル制御信号における同位ビットは第２のＴＧ９に入力される。
【００６９】
次に、具体的な動作について説明する。まず、時刻ｔ１から時刻ｔ２までの第１の基板３の変位が停止している期間に、HBS[0]，HBE[0]，・・・，SHT[0]，MCK[0]を受光素子７（11，1)〜７（11，12）との間で光信号通信する。続いて、時刻ｔ２から時刻ｔ３の期間に第１の基板３を変位させ、この期間は光信号通信を行わない。続いて、時刻ｔ３から時刻ｔ４までの第１の基板３の変位が停止している期間に、HBS[1]，HBE[1]，・・・、SHT[1]，MCK[1]を受光素子７（10，1)〜７（10，12）との間で光信号通信する。続いて、時刻ｔ４から時刻ｔ５の期間に第１の基板３を変位させ、この期間は光信号通信を行わない。続いて、時刻ｔ５から時刻ｔ６までの第１の基板３の変位が停止している期間に、HBS[2]，HBE[2]，・・・，SHT[2]，MCK[2]を受光素子７(9，1)〜７(9，12）との間で光信号通信する。
【００７０】
続いて、時刻ｔ６から時刻ｔ７の期間に第１の基板３を変位させ、この期間は光信号通信を行わない。続いて、時刻ｔ７から時刻ｔ８までの第1 の基板３の変位が停止している期間に、HBS[3]，HBE[3]，・・・，SHT[3]，MCK[3]を受光素子７(8，1)〜７(8，12）との間で光信号通信する。続いて時刻ｔ８から時刻ｔ９の期間に第１の基板３を変位させ、この期間は光信号通信を行わない。続いて、時刻ｔ９から時刻ｔ10までの第１の基板３の変位が停止している期間に、HBS[4]，HBE[4]，・・・，SHT[4]，MCK[4]を受光素子７(7，1)〜７(7，12）との間で光信号通信する。続いて、時刻ｔ10から時刻ｔ11の期間に第１の基板３を変位させ、この期間は光信号通信を行わない。続いて、時刻ｔ11から時刻ｔ12までの第１の基板３の変位が停止している期間に、HBS[5]，HBE[5]，・・・，SHT[5]，MCK[5]を受光素子７(6，1)〜７(6，12）との間で光信号通信する。
【００７１】
なお、ここで示したデジタル制御信号は一例であり、これに限定されるものではない。ここでは、第１の発光部６と第１の受光部19間の光信号通信と、第２の受光部７と第２の発光部20間の光信号通信とを同一の期間で行う場合を示したが、第１のＴＧ９と第２のＴＧ23の制御により、どちらか一方のみの光信号通信を停止、又は両方の信号通信を停止することも可能である。
【００７２】
また、初期位置に対して第１の発光部６の発光素子６(1) と第２の受光部７の受光素子７(6，1)とが、第１の光信号通信開始位置から初期位置まで変位する場合の光信号通信の動作について説明したが、図６及び図７に示したような初期位置に対して、発光素子６(1) と受光素子７(6，1)とが第２の光信号通信開始位置から初期位置まで変位する場合については、受光素子のみ変更すればよいため、ここでは説明を省略する。
【００７３】
以上、説明したように、第１の基板３上に第1 の発光部６と第２の受光部７を備え、第２の基板18上に第１の受光部19と第２の発光部20を備え、第２の基板18に対する第１の基板の位置３に基づいて、第１の発光部６の発光素子の送信信号を受信する第１の受光部19の受光素子の位置を決定すると共に、第２の発光部20の発光素子の送信信号を受信する第２の受光部７の受光素子の位置を決定するものである。
【００７４】
これにより、第１の基板上に配置した固体撮像素子104 の受光画素部４のデジタル信号を光信号として第１の発光部６から送信し、第２の基板に配置した第１の受光部19で受信すると共に、第２の基板に配置した第１のＴＧ23の複数系統のデジタル制御信号を光信号として第２の発光部20から送信し、第１の基板上に配置した第２の受光部７で受信することで、電磁放射ノイズの発生を防止し、電磁障害を防止することが可能となる。また、ＡＦＥ５と第２のＴＧ９とを、固体撮像素子104 と同一チップ上に形成することで、撮像装置を構成する部品点数を削減できコスト削減すると共に、撮像装置を小型軽量化することが可能となる。
【００７５】
（実施例２）
次に、本発明に係る撮像装置の実施例２を図12及び図13に基づいて説明する。本実施例は、実施例１の構成に基づく手法をデジタルカメラの撮影時に適応し、その撮影動作を具体化するものである。図12，13に示すタイミングチャートを用いて本実施例の動作について説明する。図12は１枚の静止画像を撮影する場合のタイミングチャートを、図13は２枚の画像を連写撮影する場合のタイミングチャートをそれぞれ示している。図12，13において、第１の基板位置における×領域は不定位置を示している。まず図12に示す１枚の静止画像の撮影について説明する。時刻ｔ20において、レリーズボタン103 がオフのため、第１の基板３の位置は不定である。続いて時刻ｔ21において、レリーズボタン103 のＳ１がオンすると、Ｓ１オンをＣＰＵ25が検出して変位素子駆動回路14が動作し、Ｙ方向変位素子12とＸ方向変位素子13が制御され、第１の基板３が第１又は第２の光信号通信開始位置に向け変位を開始する。
【００７６】
その後、時刻ｔ22において第１又は第２の光信号通信開始位置への変位が完了する。時刻ｔ21から時刻ｔ22の期間は、Ｙ方向変位枠２とＸ方向変位枠11が、変位可能な範囲のどこの位置からでも第１又は第２の光信号通信開始位置への変位を完了するまでに十分に余裕のある期間である。続いて時刻ｔ22から時刻ｔ23において、第１の基板３が変位及び停止を繰り返すことで、第２の発光部20の発光素子の送信信号を受信する第２の受光部７の受光素子の位置を決定して、固体撮像素子104 とＡＦＥ５との駆動を切り換え制御する複数のデジタル制御信号を、光信号として第２の集光部21を介して第２の受光部７へ送信する。
【００７７】
続いて時刻ｔ23において、第１の基板３はレリーズボタン103 のＳ２がオンする時刻ｔ24まで初期位置で停止する。続いて時刻ｔ24において、レリーズボタン103 のＳ２がオンすると手ブレ補正機構が動作を開始し、第１の基板３が手ブレ補正量に相当する所定量変位する。続いて時刻ｔ25において、レリーズボタン103 がオフすると、固体撮像素子104 の受光画素部４に被写体像の光信号を蓄積する本露光を開始する。続いて時刻ｔ26において、手ブレ補正機構の動作がオフすると共に本露光を完了する。また、時刻ｔ26において、変位素子駆動回路14が動作し、Ｙ方向変位素子12とＸ方向変位素子13が制御され、第１の基板３は第１又は第２の光信号通信開始位置に向け変位を開始する。
【００７８】
その後、時刻ｔ27において第１又は第２の光信号通信開始位置への変位が完了する。時刻ｔ26から時刻ｔ27の期間は、Ｙ方向変位枠２とＸ方向変位枠11が、変位可能な範囲のどこの位置からでも第１又は第２の光信号通信開始基準位置への変位を完了するまでに十分に余裕のある期間である。続いて時刻ｔ27から時刻ｔ28において、第１の基板３が変位及び停止を繰り返すことで、第１の発光部６の発光素子の送信信号を受信する第１の受光部19の受光素子の位置を決定して、固体撮像素子104 の各受光画素のデジタル信号を光信号として第１の集光部８を介して第１の受光部19へ送信し、時刻ｔ28において初期位置で停止する。
【００７９】
また時刻ｔ26から時刻ｔ27において、レリーズボタン103 のオフをＣＰＵ25が検出して、第２の発光部20の発光素子の送信を停止すると共に、時刻ｔ27から時刻ｔ28にかかる１枚の静止画像の光信号通信を行った後、第１の基板３と第２の基板18間の光信号通信を終了する。ここで、デジタルカメラ100 の電源オン直後の動作については、第２のＴＧ９にあらかじめ初期駆動を制御する信号を保存しておけばよい。また、メカシャッタについては記載を省略したが、本露光の間のみオープンにしておけばよい。
【００８０】
次に、図13に示す連写撮影について説明する。時刻ｔ30において、レリーズボタン103 がオフのため、第１の基板３の位置は不定である。続いて時刻ｔ31において、レリーズボタン103 のＳ１がオンすると、Ｓ１オンをＣＰＵ25が検出して変位素子駆動回路14が動作し、Ｙ方向変位素子12とＸ方向変位素子13が制御され、第１の基板３は第1 又は第２の光信号通信開始位置に向かい変位を開始する。その後、時刻ｔ32において第１又は第２の光信号通信開始位置への変位が完了する。時刻ｔ31から時刻ｔ32の期間は、Ｙ方向変位枠２とＸ方向変位枠11が、変位可能な範囲のどこの位置からでも第１又は第２の光信号通信開始基準位置への変位を完了するまでに十分に余裕のある期間である。
【００８１】
続いて時刻ｔ32から時刻ｔ33において、第１の基板３が変位及び停止を繰り返すことで、第２の発光部20の発光素子の送信信号を受信する第２の受光部７の受光素子の位置を決定して、固体撮像素子104 とＡＦＥ５との駆動を切り換え制御する複数のデジタル制御信号を、光信号として第２の集光部21を介して第２の受光部７へ送信する。続いて時刻ｔ33において、第１の基板３はレリーズボタン103 のＳ２がオンする時刻ｔ34まで初期位置で停止する。続いて時刻ｔ34において、レリーズボタン103 のＳ２がオンすると手ブレ補正機構が動作を開始する。続いて時刻ｔ35において、1 回目の本露光を開始する。続いて時刻ｔ36において、手ブレ補正機構がオフすると共に本露光を完了する。また、時刻ｔ36において、第１の基板３は第１又は第２の光信号通信開始位置に向かい変位を開始する。
【００８２】
その後、時刻ｔ37において第１又は第２の光信号通信開始位置への変位が完了する。時刻ｔ36から時刻ｔ37の期間は、Ｙ方向変位枠２とＸ方向変位枠11が、変位可能な範囲のどこの位置からでも初期位置への変位を完了するまでに十分に余裕のある期間である。続いて時刻ｔ37から時刻ｔ38において、第１の基板３が変位及び停止を繰り返すことで、第１の発光部６の発光素子の送信信号を受信する第１の受光部19の受光素子の位置を決定して、固体撮像素子104 の各受光画素のデジタル信号を、光信号として第１の集光部８を介して第１の受光部19へ送信して、１枚目の静止画像の光信号通信を行い、時刻ｔ38において初期位置で停止する。また、時刻ｔ36から時刻ｔ37において、レリーズボタン103 のＳ２オンをＣＰＵ25が検出して、時刻ｔ37から時刻ｔ38にかかる固体撮像素子104 とＡＦＥ５との駆動を切り換え制御する複数のデジタル制御信号を、第１の基板３が変位及び停止を繰り返すことで、第２の発光部20の発光素子の送信信号を受信する第２の受光部７の受光素子の位置を決定して、光信号として第２の集光部21を介して第２の受光部７へ送信する。
【００８３】
続いて時刻ｔ38において、手ブレ補正機構が動作を開始し、第１の基板３が手ブレ補正量に相当する所定量変位する。続いて時刻ｔ39において、２回目の本露光を開始する。続いて時刻ｔ40において、手ブレ補正機構がオフすると共に２回目の本露光を完了する。また、時刻ｔ40において、第１の基板３は第１又は第２の光信号通信開始位置に向かい変位を開始する。その後、時刻ｔ41において第１又は第２の光信号通信開始位置への変位が完了する。時刻ｔ40から時刻ｔ41の期間はＹ方向変位枠２とＸ方向変位枠11が、変位可能な範囲のどこの位置からでも第１又は第２の光信号通信開始基準位置への変位を完了するまでに十分に余裕のある期間である。
【００８４】
続いて時刻ｔ41から時刻ｔ42において、第１の基板３が変位及び停止を繰り返すことで、第１の発光部６の発光素子の送信信号を受信する第１の受光部19の受光素子の位置を決定して、固体撮像素子104 の各受光画素のデジタル信号を光信号として第１の集光部８を介して第１の受光部19へ送信して、２枚目の静止画像の光信号通信を行い、時刻ｔ42において初期位置で停止する。また、時刻ｔ40から時刻ｔ41において、レリーズボタン103 のオフをＣＰＵ25が検出して、第２の発光部20の発光素子の送信を停止すると共に、時刻ｔ41から時刻ｔ42にかかる２枚目の静止画像の光信号通信を行った後、第１の基板３と第２の基板18間の光信号通信を終了する。
【００８５】
ここで、時刻ｔ37から時刻ｔ38にかかる固体撮像素子104 とＡＦＥ５との駆動を切り換え制御する複数のデジタル制御信号の送信については、１回目の本露光と２回目の本露光とで固体撮像素子104 とＡＦＥ５との駆動の切り換えがない場合には、必ずしも必要ではない。すなわち、時刻ｔ36から時刻ｔ37において、レリーズボタン103 のオンをＣＰＵ25が検出した際に、デジタル制御信号の送信が行われない場合には、１回目の本露光と同様な固体撮像素子104 とＡＦＥ５との駆動を行うように、第２のＴＧ９を動作させればよい。また、デジタルカメラ100 の電源オン直後の動作については、第２のＴＧ９にあらかじめ初期駆動を制御する信号を保存しておけばよい。また、メカシャッタについて記載を省略したが、本露光の間のみオープンにしておけばよい。更に、固体撮像素子104 を用いてＥＬＶ（電子ライブヴュー）を行う場合には、レリーズ動作に無関係に、図13に示した時刻ｔ34から時刻ｔ38の動作を繰り返すことで実現できる。
【００８６】
以上説明したように、本発明によれば、手ブレ補正機構を利用して、デジタルカメラの本露光前に、第１の基板を初期位置に変位させることで第１の基板と第２の基板間の光信号通信を行うことを可能とし、光信号通信後は常に第１の基板を初期位置で停止（スタンバイ）させておくることができる。すなわち、デジタルカメラの撮影においては、撮影時に手ブレ補正よって初期位置から変位した固体撮像素子の受光画素部中心を、撮影終了後には次の撮影にそなえて初期位置に変位させてスタンバイさせておく必要がある。この、初期位置へ変位させる期間を有効に使い、第１の基板と第２の基板間の光信号通信を行うものである。なお、本発明は、デジタルカメラだけに限定されるものではなく、相対的に位置が変位する複数の基板間の光信号通信を行うことを可能とするものであり、さまざまな装置・機器に適応できることはいうまでもない。
【図面の簡単な説明】
【００８７】
【図１】本発明に係る撮像装置をデジタルカメラに適用した実施例１の概略構成を示すブロック図である。
【図２】図１に示した実施例１の第１の基板の変位動作を説明するための分解斜視図である。
【図３】図２におけるＡ−Ａ′線に沿った断面を示す断面図である。
【図４】実施例１における第１及び第２の発光部並びに第１及び第２の受光部を構成する各素子部と端子のみを示す図である。
【図５】第１の発光部の発光素子と第２の受光部の受光素子との中央座標が、初期位置に対してＹ（＋）方向、Ｘ（−）方向の位置から初期位置に変位するまでの動作を示す説明図である。
【図６】実施例１における第１及び第２の発光部並びに第１及び第２の受光部を構成する各素子部と端子のみを示す図である。
【図７】第１の発光部の発光素子と第２の受光部の受光素子との中央座標が、初期位置に対してＹ（−）方向、Ｘ（＋）方向の位置から初期位置に変位するまでの動作を示す説明図である。
【図８】実施例１における固体撮像素子、第２のＴＧ及びＡＦＥの構成を示すブロック図である。
【図９】第１の発光部の送信する光信号と、光信号を受信する第１の受光部の受光素子の対応関係を示すタイミングチャートである。
【図１０】図９に示したタイミングチャートの時刻ｔ１から時刻ｔ２までの、第１の発光部の送信する光信号の詳細を示すタイミングチャートである。
【図１１】第２の発光部の送信する光信号と、該光信号を受信する第２の受光部の受光素子との対応関係を示すタイミングチャートである。
【図１２】本発明の実施例２における１枚の静止画を撮影する場合の動作を説明するためのタイミングチャートである。
【図１３】本発明の実施例２における２枚の画像を連写撮影する場合の動作を説明するためのタイミングチャートである。
【図１４】従来のデジタルカメラにおける手ブレ補正機構の動作を示す説明図である。
【符号の説明】
【００８８】
１  デジタルカメラの内部構成
２  Ｙ方向変位枠
３  第１の基板
４  受光画素部
５  ＡＦＥ
６  第１の発光部
７  第２の受光部
８  第１の集光部
９  第２のＴＧ
11  Ｘ方向変位枠
12  Ｙ方向変位素子
13  Ｘ方向変位素子
14  変位素子駆動回路
15  Ｙジャイロセンサ
16  Ｘジャイロセンサ
17  固定枠
18  第２の基板
19  第１の受光部
20  第２の発光部
21  第２の集光部
22  ＤＳＰ
23  第１のＴＧ
25  ＣＰＵ
100   デジタルカメラ
101   外部筐体
102   撮像レンズ
103   レリーズボタン
104   固体撮像素子
120   垂直走査回路
121   水平走査回路
122   ＣＤＳ回路
123   ＳＲ回路
124   ＰＧＡ回路
125   ＡＤＣ回路
126   Ｉ／Ｆ回路
【図１】
2009272788.tif 000003
【図２】
2009272788.tif 000004
【図３】
2009272788.tif 000005
【図４】
2009272788.tif 000006
【図５】
2009272788.tif 000007
【図６】
2009272788.tif 000008
【図７】
2009272788.tif 000009
【図８】
2009272788.tif 000010
【図９】
2009272788.tif 000011
【図１０】
2009272788.tif 000012
【図１１】
2009272788.tif 000013
【図１２】
2009272788.tif 000014
【図１３】
2009272788.tif 000015
【図１４】
2009272788.tif 000016